(57)【特許請求の範囲】
【請求項１】
所定位置に貫通孔を形成すべくリング状に型抜きされた塩化ビニール等の上半身シート体と下半身シート体とを形成する第１工程と、所定位置に一対の脚挿入孔を形成すべく同素材のシート体を型抜きして所望大きさの座体シートを形成する第２工程と、該座体シートに同座体の深さを決定する環状シートを溶着する第３工程とを備える浮袋の製造方法において、
前工程で得た有底環状を呈する座体の環状シートに、浮力本体の内周面を構成する連結内周シートを溶着する第４工程と、前記上半身シート体と下半身シート体とを重合、溶着して浮力本体を形成する際に、その浮力本体の内周縁に前記連結内周シートを整合溶着するだけで前記座体シートを同浮力本体の貫通孔下に取り付ける第５工程とを有することを特徴とする低重心浮袋の製造方法。
【請求項２】
所定位置に貫通孔を形成すべくリング状に型抜きされた塩化ビニール等の上半身シート体と下半身シート体とを形成する第１工程と、所定位置に一対の脚挿入孔を形成すべく同素材のシート体を型抜きして所望大きさの座体シートを形成する第２工程と、該座体シートに同座体の深さを決定する環状シートを溶着する第３工程と、前記環状シートの上位に浮力本体の内周面を構成する連結内周シートを溶着する第４工程と、前記上半身シート体と下半身シート体とを重合、溶着して浮力本体を形成する際に、その内周縁に前記連結内周シートを溶着するだけで前記座体シートを同浮力本体の貫通孔下に取り付ける第５工程とを経て得られる低重心浮袋。
【発明の詳細な説明】
【０００１】
【発明の属する技術分野】
本発明は浮袋の改良に関し、更に詳しくは、仮令、バランス感覚の悪い幼児等が使用しても、安易に倒れることのない、安定性に優れた低重心浮袋とその製造方法に関する。
【０００２】
【従来の技術】
従来、斯かる浮袋としては、例えば、特願昭６３−２５５８４７号明細書に開示されたものが従来例として周知である。この従来例における浮袋は、中央に貫通孔を有する合成樹脂シート製の浮力本体を形成し、該浮力本体の貫通孔の下側に合成樹脂シート製の脚挿入孔と座部とからなる座体が形成されている。
【０００３】
【発明が解決しようとする課題】
しかしながら、上述した特願昭６３−２５５８４７号明細書に開示されている浮袋にあっては、その座体が浅く取り付けてあるため、換言すれば、座体の底面を構成する座体シートが浮力本体の底面と略同位置で、深さ（奥行き）がないため、特に、バランス感覚の悪い幼児等が使用した場合には、仮令、前記脚挿入孔から脚を出して座っていたとしても、安易にして浮袋ごと転倒してしまうといった問題を有するものであった。
【０００４】
本発明は斯かる問題点に鑑みてなされたもので、仮令、バランス感覚の悪い幼児等が使用しても、安易に倒れることのない、安定性に優れた低重心浮袋とその製造方法を提供することを目的とするものである。
【０００５】
【課題を解決するための手段】
上述の如き従来の問題点を解決し、所期の目的を達成するため本発明の要旨とする構成は、所定位置に貫通孔を形成すべくリング状に型抜きされた塩化ビニール等の上半身シート体と下半身シート体とを形成する第１工程と、所定位置に一対の脚挿入孔を形成すべく同素材のシート体を型抜きして所望大きさの座体シートを形成する第２工程と、該座体シートに同座体の深さを決定する環状シートを溶着する第３工程とを備える浮袋の製造方法において、前工程で得た有底環状を呈する座体の環状シートに、浮力本体の内周面を構成する連結内周シートを溶着する第４工程と、前記上半身シート体と下半身シート体とを重合、溶着して浮力本体を形成する際に、その浮力本体の内周縁に前記連結内周シートを整合溶着するだけで前記座体シートを同浮力本体の貫通孔下に取り付ける第５工程とを有する低重心浮袋の製造方法に存する。
【０００８】
更に、本発明は、所定位置に貫通孔を形成すべくリング状に型抜きされた塩化ビニール等の上半身シート体と下半身シート体とを形成する第１工程と、所定位置に一対の脚挿入孔を形成すべく同素材のシート体を型抜きして所望大きさの座体シートを形成する第２工程と、該座体シートに同座体の深さを決定する環状シートを溶着する第３工程と、前記環状シートの上位に浮力本体の内周面を構成する連結内周シートを溶着する第４工程と、前記上半身シート体と下半身シート体とを重合、溶着して浮力本体を形成する際に、その浮力本体の内周縁に前記連結内周シートを溶着するだけで前記座体シートを同浮力本体の貫通孔下に取り付ける第５工程とを経て得られる低重心浮袋に存する。
【０００９】
このように構成される本発明の低重心浮袋の製造方法は、所定位置に貫通孔を形成すべくリング状に型抜きされた塩化ビニール等の上半身シート体と下半身シート体とを形成する第１工程と、所定位置に一対の脚挿入孔を形成すべく同素材のシート体を型抜きして所望大きさの座体シートを形成する第２工程と、該座体シートに同座体の深さを決定する環状シートを溶着する第３工程とを備える浮袋の製造方法において、前工程で得た有底環状を呈する座体の環状シートに、浮力本体の内周面を構成する連結内周シートを溶着する第４工程と、前記上半身シート体と下半身シート体とを重合、溶着して浮力本体を形成する際に、その浮力本体の内周縁に前記連結内周シートを整合溶着するだけで前記座体シートを同浮力本体の貫通孔下に取り付ける第５工程とを有することによって、座体シートの裏返し加工等を不要とすべく前記連結内周シートを浮力本体に溶着するだけで座体シートを同浮力本体の貫通孔下に取り付けできることから、組立工数の削減が可能となり、より簡単、かつ、スピーディーに安全な低重心浮袋の組み立てができることととなり、更なる生産作業の効率アップが図れることとなる。
【００１２】
また、本発明に係る低重心浮袋は、所定位置に貫通孔を形成すべくリング状に型抜きされた塩化ビニール等の上半身シート体と下半身シート体とを形成する第１工程と、所定位置に一対の脚挿入孔を形成すべく同素材のシート体を型抜きして所望大きさの座体シートを形成する第２工程と、該座体シートに同座体の深さを決定する環状シートを溶着する第３工程と、前記環状シートの上位に浮力本体の内周面を構成する連結内周シートを溶着する第４工程と、前記上半身シート体と下半身シート体とを重合、溶着して浮力本体を形成する際に、その内周縁に前記連結内周シートを溶着するだけで座体シートを同浮力本体の貫通孔下に取り付ける第５工程とを経て得られることによって、座体シートの裏返し加工等を不要とすべく前記連結内周シートを浮力本体に溶着するだけで、前記座体シートを浮力本体の貫通孔下に取り付けし得ることとなる。以下、本発明を実施例により更に詳しく説明する。
【００１３】
尚、本明細書にて言及している「低重心浮袋」とは、浮力本体の底面よりも低い位置に、遊戯者が着座する座体シートを備えてなる全ての浮袋を云うものであり、本実施例で示す浮袋の形状や大きさ等に限定されるものではない。
【００１４】
【発明の実施の形態】
次に、本発明の実施の一例を図面を参照しながら説明する。尚、理解を容易にするため、従来技術と同一部分には同一符号を付して説明する。図中Ａは、本発明に係る低重心浮袋を示すものであり、この低重心浮袋Ａは、図１に示すように、ボートの形状を模して造られた浮力本体１と、該浮力本体１の貫通孔１ａ下を閉塞すべく配設された座体２とを備えている。
【００１５】
前記浮力本体１は、中央に貫通孔１ａを形成すべくリング状に型抜きされた塩化ビニール等のシート体（図示せず）を重合し、その内周縁と外周縁とを溶着することにより中空環状の浮袋に形成されるものであり、吸込口（図示せず）より中空内部に空気を入れて膨らませることにより使用するものである。
【００１６】
また、この浮力本体１の所望位置には、遊戯者が掴まるためのハンドル３と、ヘッドシート４とが突設されており、浮力本体１の表面に、絵や模様或いはキャラクター等の図柄がプリントされることは云うまでもない。
【００１７】
一方、前記座体２は、底面に一対の脚挿入孔５，５を有する座体シート２ａと、同座体２の深さ（奥行き）を決定する環状シート２ｂとを備えてなり、図３に示すように、前記座体シート２ａが浮力本体１の底面１ｂよりも下位になるように折り畳み若しくは伸縮自在に垂設されている。
【００１８】
また、前記脚挿入孔５，５には、脚孔保護部材６が装着されている。この脚孔保護部材６は、ゴム等の可撓性部材から形成されており、前記脚挿入孔５，５内にそれぞれ整合される環状の曲面突起６ａ，６ａと、該曲面突起６ａ，６ａの外周に張り出すべく形成された鍔部６ｂ，６ｂと、前記曲面突起６ａ，６ａ同士を一体的に連結するジョイント部６ｃとから構成されている（図２参照）。
【００１９】
しかも、この脚孔保護部材６は、前記環状の曲面突起６ａ，６ａが前記脚挿入孔５，５の内側に位置するように座体シート２ａの裏面に溶着されることにより、曲面突起６ａ，６ａのみが遊戯者の脚と接触し得るため、股ズレ等の問題を生じることがなく、また、脚挿入孔５，５及び座体２の底面の補強をもなすため、安易な破損も防止できる。
【００２０】
尚、前記曲面突起６ａ，６ａは、脚挿入孔５，５の内周縁から突出する部分が断面球状に形成され、かつ、同内周縁を保護し得るように適度の硬性を有していることは云うまでもない。
【００２１】
このように構成される本発明の低重心浮袋は、前記座体２が、前記浮力本体１の底面１ｂよりも下位に座体シート２ａが位置するように形成されているため、図６に示すように、浮力本体１よりも深い位置に遊戯者が着座できるため（低重心）、幼児等を乗せた状態で水上を牽引しても、従来の如く安易に転倒することがなく、頗る安定性に優れるのである。
【００２２】
しかも、浮力本体１に対し前記座体２が折り畳み・収縮自在になることから、浮力本体１への溶着時や、未使用時にあっては、少なくとも環状シート２ｂ部分が貫通孔１ａ内にコンパクトに収まるべく収縮変形できるため、地面上に載置する場合や持ち運び等にあって座体２が邪魔になることはない。
【００２３】
更に、前記脚挿入孔５，５には脚孔保護部材６が装着されていることから、幼児等の遊戯者が乗り降りするに際し、脚を傷めたり、股ずれを起こすことがなく、更には、従来の如き、斯かる脚挿入孔５，５の面取りが簡単にできるため、生産効率の向上も図れるのである。
【００２４】
次に、本発明に係る低重心浮袋の製造方法について説明する。尚、理解を容易にするため、前実施例と同一部分には同一符号を付して以下に説明する。
【００２５】
まず、本発明方法の第１工程について説明する。塩化ビニール等のシート体を所定大きさのリング状に型抜き形成する。そして、中央に貫通孔１ａを形成すべく型抜きされた上半身シート体と下半身シートを重合し、後工程（例えば、第５工程）にてその内周縁と外周縁とを溶着することにより、浮力本体１が形成される。
【００２６】
次に、第２及び第３工程について説明する。前工程で得た浮力本体の貫通孔１ａに装着させる座体２を形成する。この座体２は、前記浮力本体１と同素材のシート体に一対の脚挿入孔５，５を形成すべく所定大きさの座体シート２ａを型抜きした後、該座体シート２ａの深さを決定する環状シート２ｂを溶着することにより、有底環状に成形される。
【００２７】
また、この座体シート２ａは、前記貫通孔１ａの下端側を閉塞できるように、同貫通孔１ａと整合する大きさ（略同形同大）を有しており、周縁に溶着代（図示せず）が形成されている。
【００２８】
尚、この座体シート２ａの型抜きの際、或いはその後に、前記一対の脚挿入孔５，５に前述した脚孔保護部材６を溶着固定するのが良い。また、前記ハンドル３、並びにヘッドシート４等の如き装飾部材の取り付け、溶着にあっては、前記第１工程若しくはこの第２〜第３工程の際或いは後の第５工程で行っても良い。
【００２９】
次に、第４工程について説明する。前工程で得た座体２の環状シート２ｂに、連結内周シート７を溶着する。この連結内周シート７は、浮力本体１の内周面を構成するものであり、図４に示すように、立設される前記環状シート２ｂの上端側を同連結内周シート７の中程に内接させるべく溶着されるものである。
【００３０】
次に、第５工程について説明する。前工程で得た座体２付きの連結内周シート７は、上半身シート体１ｃと下半身シート体１ｄとを重合、溶着して浮力本体１を形成する際、若しくはその前後にあって、浮力本体１の内周縁側に整合溶着することにより、座体シート１ａを同浮力本体１の貫通孔１ａ下に取り付ける。
【００３１】
すなわち、この連結内周シート７は、図５に示すように、上端開口縁７ａ側を浮力本体１を構成する上半身シート体１ｃに、下端開口縁７ｂを下半身シート体１ｄにそれぞれ内接させるべく溶着することにより、前記浮力本体１の貫通孔１ａの下位に遊戯者が着座できる座部（座体シート１ａ）が一体的に形成され、最終製品（低重心浮袋）が得られる。
【００３２】
しかも、本発明の製造方法では、座体シート２ｂの裏返し加工等を不要とすべく連結内周シート７を浮力本体１内に溶着できることから、組立工数の削減が可能となり、より簡単かつスピーディーに低重心座体の組み立てができるものであり、更なる生産作業の効率アップが図れるのである。
【００３３】
尚、本発明はこれら実施例に限定されることなく、本発明の目的の範囲内で自由に設計変更し得るものであり、本発明はそれらの全てを包摂するものである。例えば、本実施例の低重心浮袋Ａは、ボートを模したものであるが、これに限定されることなく、マット、飛行機、自動車或いは動物等といった適宜形態に成形されることは云うまでもなく、浮き輪のみに限定されるものでもない。
【００３４】
また、本実施例では、脚挿入孔５，５を座体シート２ａに形成しているが、これに限定されることなく、環状シート２ｂに開口させて脚を前方に出せるようにしても良い。
【００３５】
更に、脚孔保護部材６は、需要者をして浮力本体１の上から一瞥された際に、前記鍔部６ｂが外観状に露呈しないように、また、座体２の底面を強化できるように前記座体シート２ｂの底面に溶着するのが好ましい。
【００３６】
尚、本明細書にて言及している「脚孔保護部材」とは、座体に形成された脚挿入孔の面取りをなす目的で装着される全ての保護部材を云うものでものであり、就中、ゴムやウレタン等の可撓性材料にて成形するのが好ましい。
【００３７】
【発明の効果】
本発明に係る低重心浮袋の製造方法は、所定位置に貫通孔を形成すべくリング状に型抜きされた塩化ビニール等の上半身シート体と下半身シート体とを形成する第１工程と、所定位置に一対の脚挿入孔を形成すべく同素材のシート体を型抜きして所望大きさの座体シートを形成する第２工程と、該座体シートに同座体の深さを決定する環状シートを溶着する第３工程とを備える浮袋の製造方法において、前工程で得た有底環状を呈する座体の環状シートに、浮力本体の内周面を構成する連結内周シートを溶着する第４工程と、前記上半身シート体と下半身シート体とを重合、溶着して浮力本体を形成する際に、その浮力本体の内周縁に前記連結内周シートを整合溶着するだけで前記座体シートを同浮力本体の貫通孔下に取り付ける第５工程とを有することによって、座体シートの裏返し加工等を必要としないで前記連結内周シートを浮力本体に溶着できるため、組立工数の削減が可能となり、浮力本体の底面から深く下がった位置に遊戯者が座着し得る低重心の安全な浮袋を、より簡単かつスピーディーに組み立てができるものであり、更なる生産作業の効率アップが図れるといった優れた効果を奏する。
【００４０】
また、本発明に係る低重心浮袋は、所定位置に貫通孔を形成すべくリング状に型抜きされた塩化ビニール等の上半身シート体と下半身シート体とを形成する第１工程と、所定位置に一対の脚挿入孔を形成すべく同素材のシート体を型抜きして所望大きさの座体シートを形成する第２工程と、該座体シートに同座体の深さを決定する環状シートを溶着する第３工程と、前記環状シートの上位に浮力本体の内周面を構成する連結内周シートを溶着する第４工程と、前記上半身シート体と下半身シート体とを重合、溶着して浮力本体を形成する際に、その内周縁に前記連結内周シートを溶着するだけで座体シートを同浮力本体の貫通孔下に取り付ける第５工程とを経て得られることによって、前記連結内周シートの溶着だけで（座体シートの裏返し加工等を必要とすることなく）座体シートを浮力本体の貫通孔下に効率よく取り付けできる安定性に優れた低重心浮袋を提供できるといった効果を奏する。
【００４１】
このように本発明は、仮令、幼児等を乗せても安易に転倒することのない、安全性に優れた低重心の浮袋とその製造方法を提供できるものであり、また、構成が単純であるため大量生産に適し価格も低廉なものとして需要者に供給できるのである。
【図面の簡単な説明】
【図１】本発明に係る低重心浮袋の平面図である。
【図２】同低重心浮袋の底面図である。
【図３】同低重心浮袋の側面図である。
【図４】本実施例で使用する座体の一部切欠斜視図である。
【図５】同低重心浮袋の縦断面図である。
【図６】同低重心浮袋の使用状態を示す説明図である。
【符号の説明】
１  浮力本体
１ａ  貫通孔
１ｂ  底面
１ｃ  上半身シート体
１ｄ  下半身シート体
２  座体
２ａ  座体シート
２ｂ  環状シート
３  ハンドル
４  ヘッドシート
５  脚挿入孔
６  脚孔保護部材
６ａ  曲面突起
６ｂ  鍔部
６ｃ  ジョイント部
７  連結内周シート
７ａ  上端開口縁
７ｂ  下端開口縁
【図１】
0004049428.tif 000002
【図２】
0004049428.tif 000003
【図３】
0004049428.tif 000004
【図４】
0004049428.tif 000005
【図５】
0004049428.tif 000006
【図６】
0004049428.tif 000007